(57)【要約】【課題】買上金額等により得られた無料サービス時間に対して実際の駐車時間が短い場合には余った無料サービス時間を次回以降に繰り越すことができ、ただし買物をしない場合の無料サービス時間の利用は防ぐ。【解決手段】出庫側装置２は、出庫側リーダ・ライタによりポイントカード７から入庫時刻とサービス値とを読み出す。そして、入庫時刻に基づいて駐車料金を算出する。また、サービス値が書換更新されてから最初の処理か否かを判断する。サービス値が書換更新された後の最初の処理であると判断されたことを条件に、駐車料金を更新後のサービス値で精算する。【選択図】      図１
2008059341.tif 000002
【特許請求の範囲】
【請求項１】
駐車場に入庫する車両毎に入庫日時を記録する入庫側装置と、前記駐車場から出庫する車両毎に前記入庫日時からの駐車時間に応じた駐車料金を算出し、この駐車料金の精算を終えると出庫を許可する出庫側装置とを備えた駐車場管理システムにおいて、
前記入庫側装置は、現在日時を計時する時計部と、少なくとも入庫日時とサービス値を記録可能な可搬式記録媒体に対してデータの書込み及び読出しを行う入庫側リーダ・ライタと、この入庫側リーダ・ライタにより前記可搬式記録媒体のデータを読み出したときの前記時計部で計時されている現在日時を入庫日時として取得する入庫日時取得手段と、この入庫日時取得手段により得られた入庫日時のデータを前記入庫側リーダ・ライタにより前記可搬式記録媒体に書き込む入庫日時記録手段とを具備し、
前記出庫側装置は、前記可搬式記録媒体に対してデータの書込み及び読出しを行う出庫側リーダ・ライタと、この出庫側リーダ・ライタにより前記可搬式記録媒体から前記入庫時刻と前記サービス値とを読み出す媒体データ読出し手段と、この媒体データ読出し手段により読み出された前記入庫時刻に基づいて駐車料金を算出する駐車料金算出手段と、前記媒体データ読出し手段により読み出された前記サービス値が書換更新されてから最初の処理か否かを判断する媒体判断手段と、この媒体判断手段により前記サービス値が書換更新された後の最初の処理であると判断されたことを条件に、前記駐車料金算出手段により算出された駐車料金を前記更新後のサービス値で精算する駐車料金精算手段とを具備したことを特徴とする駐車場管理システム。
【請求項２】
前記駐車場管理システムは、客が購入する商品の買上金額を算出し、この買上金額に対する代金支払いデータを処理する決済装置を含み、
前記決済装置は、前記客が購入する商品の買上金額に応じてサービス値を算出するサービス値算出手段と、前記可搬式記録媒体に対してデータの書込み及び読出しを行う決済側リーダ・ライタと、この決済側リーダ・ライタにより前記可搬式記録媒体から読み出したサービス値に前記サービス値算出手段により算出されたサービス値を加算し、前記可搬式記録媒体に記録されているサービス値を前記加算後のサービス値に書換更新するサービス値更新手段とを具備したことを特徴とする請求項１記載の駐車場管理システム。
【請求項３】
前記可搬式記録媒体は、前記サービス値が書換更新されたことを示す識別情報を記録可能であり、
前記決済装置は、前記サービス値更新手段により前記可搬式記録媒体に記録されているサービス値を書換更新する毎に前記識別情報を前記可搬式記録媒体に記録し、
前記出庫側装置の媒体判断手段は、前記可搬式記録媒体に前記識別情報が記録されていると前記サービス値が書換更新された後の最初の処理であると判断して、前記可搬式記録媒体から前記識別情報をクリアすることを特徴とする請求項２記載の駐車場管理システム。
【請求項４】
入庫日時と、サービス値と、前記サービス値が書換更新されたことを示す識別情報とを書換可能に記憶することを特徴とする可搬式記録媒体。
【請求項５】
前記サービス値は、客が購入する商品の買上金額に応じて算出されるサービスポイントであることを特徴とする請求項４記載の可搬式記録媒体。
【発明の詳細な説明】
【技術分野】
【０００１】
本発明は、例えばデパート，スーパーマーケット，ショッピングモール等の店舗施設に付設された駐車場を管理する駐車場管理システム及びこのシステムで用いられる可搬式記録媒体に関する。
【背景技術】
【０００２】
従来、デパート等の店舗施設に付設された有料駐車場では、該当する店舗で買物をした利用客に対しては無料サービス時間を供与するサービスを行っている。この場合において、高額の買上金額に対しては長時間の無料サービス時間を供与するというように、買上金額に応じて無料サービス時間を段階的に設定することも既に知られている（例えば、特許文献１参照）。
【特許文献１】特開２００４−０３８５８２号公報
【発明の開示】
【発明が解決しようとする課題】
【０００３】
このように、買上金額に応じて無料サービス時間が段階的に設定されていた場合、高額の買物をすることによって長時間の無料サービス時間が得られる。ただし、実際の駐車場利用時間が無料サービス時間より短い場合でも、余った無料サービス時間を次回に繰り越すことはできなかった。
【０００４】
そこで、余った無料サービス時間を次回に繰り越せるようにすることで、顧客サービスをさらに向上させたいという要望があった。しかしその一方で、無料サービス時間を次回に繰り越せるようにした場合には、一度高額な買物をすることによって、次回以降、何度かは店舗で買物をしなくても無料で駐車場を利用できる場合が生じ得るため、これを避けたいという要望もあった。
【０００５】
そこで本発明は、買上金額等により得られた無料サービス時間に対して実際の駐車時間が短い場合には余った無料サービス時間を次回以降に繰り越すことができ、ただし買物をしない場合の無料サービス時間の利用は防ぐことができる駐車場管理システムを提供しようとするものである。
【課題を解決するための手段】
【０００６】
本発明は、駐車場に入庫する車両毎に入庫日時を記録する入庫側装置と、駐車場から出庫する車両毎に入庫日時からの駐車時間に応じた駐車料金を算出し、この駐車料金の精算を終えると出庫を許可する出庫側装置とを備えた駐車場管理システムに関する。このものにおいて、入庫側装置は、現在日時を計時する時計部と、少なくとも入庫日時とサービス値を記録可能な可搬式記録媒体に対してデータの書込み及び読出しを行う入庫側リーダ・ライタと、この入庫側リーダ・ライタにより可搬式記録媒体のデータを読み出したときの時計部で計時されている現在日時を入庫日時として取得する入庫日時取得手段と、この入庫日時取得手段により得られた入庫日時のデータを入庫側リーダ・ライタにより可搬式記録媒体に書き込む入庫日時記録手段とを具備する。出庫側装置は、可搬式記録媒体に対してデータの書込み及び読出しを行う出庫側リーダ・ライタと、この出庫側リーダ・ライタにより可搬式記録媒体から入庫時刻と前記サービス値とを読み出す媒体データ読出し手段と、この媒体データ読出し手段により読み出された入庫時刻に基づいて駐車料金を算出する駐車料金算出手段と、媒体データ読出し手段により読み出されたサービス値が書換更新されてから最初の処理か否かを判断する媒体判断手段と、この媒体判断手段によりサービス値が書換更新された後の最初の処理であると判断されたことを条件に、駐車料金算出手段により算出された駐車料金を更新後のサービス値で精算する駐車料金精算手段とを具備する。
【発明の効果】
【０００７】
かかる手段を講じた本発明によれば、買上金額等により得られた無料サービス時間に対して実際の駐車時間が短い場合には余った無料サービス時間を次回以降に繰り越すことができ、ただし買物をしない場合の無料サービス時間の利用は防ぐことができる駐車場管理システムを提供することができる。
【発明を実施するための最良の形態】
【０００８】
以下、本発明を実施するための最良の形態について、図面を用いて説明する。  
なお、この実施の形態は、客の買上金額に応じてサービスポイントを供与するポイントサービス制度が導入されているデパート，スーパーマーケット等の店舗施設に付設された駐車場の管理システムに本発明を適用した場合である。すなわち、少なくとも入庫日時とサービス値を記録可能な可搬式記録媒体をポイントカードとし、サービス値をサービスポイントの累計値とする。
【０００９】
図１は本実施の形態における駐車場管理システムの全体構成を概略的に示す模式図である。この駐車場管理システムは、店舗施設に付設された駐車場の入庫口に設けられる入庫側装置１と、同駐車場の出庫口に設けられる出庫側装置２とから構成されている。また、当該店舗施設に構築されるＰＯＳ（Point Of Sales）システム３が含まれる。
【００１０】
ＰＯＳシステム３は、既存のポイントサービス制度導入店舗に構築されているシステムと同様のものであり、複数台のＰＯＳ端末４と、各ＰＯＳ端末４を集中制御するストアサーバ５とで構成されている。各ＰＯＳ端末４とストアサーバ５とは、ＬＡＮ（Local Area Network）等のネットワーク６を介して相互通信自在に接続されている。各ＰＯＳ端末４は、それぞれ客が購入する商品の販売点数，販売金額等の販売データを登録処理して買上金額を算出する。そして、この買上金額に対して買物客から支払われた代金支払データを処理するとともに、その買上金額に応じてサービスポイントを算出し、当該買物客に対して付与するポイントサービス対応の機種である。ここに、ＰＯＳ端末４は、本発明の決済装置として機能する。
【００１１】
また、本実施の形態の駐車場管理システムでは、各買物客がそれぞれ携帯可能な可搬式記憶媒体として、駐車券機能付のポイントカード７が使用される。ポイントカード７は、例えばＩＣメモリを実装してなるＩＣカードによって形成されている。なお、リーダ・ライタとの通信方式は、接触式または非接触式のいずれでもよい。
【００１２】
ポイントカード７のメモリには、図２に示すように、顧客ＩＤエリア１１、累計ポイントエリア１２、更新フラグエリア１３、入庫日時エリア１４、入庫フラグエリア１５及び駐車場使用履歴テーブル１６の各メモリエリアが形成されている。
【００１３】
顧客ＩＤエリア１１には、当該ポイントカード７を所有する顧客を識別するために顧客毎に設定された固有の顧客ＩＤコードが記憶されている。累計ポイントエリア１２には、当該ポイントカード７を所有する顧客に対して供与されたサービスポイントの累計値（累計ポイント）が記憶されている。更新フラグエリア１３には、累計ポイントエリア１２に記憶されている累計ポイントが更新されたか否かを識別する情報として更新フラグが記憶されている。本実施の形態では、更新されたことを示す識別情報を“１”とする。入庫日時エリア１４には、当該ポイントカード７を所有する顧客の車両が駐車場に入庫した際の入庫日時データが記憶される。入庫フラグエリア１５には、当該ポイントカード７を所有する顧客の車両が駐車場に入庫しているか否かを識別する情報として入庫フラグが記憶されている。本実施の形態では、入庫していることを示す識別情報を“１”とする。駐車場使用履歴テーブル１６には、当該ポイントカード７を所有する顧客の駐車場利用履歴として入庫日時，出庫日時，駐車時間等が記憶される。
【００１４】
図３は入庫側装置１の要部構成を示すブロック図である。図示するように、入庫側装置１は、時計部２１、カードリーダ・ライタ２２、音声報知部２３、信号入力部２４、駐車券発行機構２５、ゲート開閉機構２６及びこれらを制御する制御部２７等によって構成されている。
【００１５】
時計部２１は、現在の日付及び時刻を計時する。カードリーダ・ライタ２２は、前記ポイントカード７を含むカード状記録媒体に対してデータの書込み及び読出しを行うもので、本発明の入庫側リーダ・ライタとして機能する。音声報知部２３からは、駐車場利用者に対しての音声案内メッセージが適宜出力される。信号入力部２４には、駐車場利用者によって操作可能な発券ボタン２８がオン操作されたときに生じる発券オン信号が入力される。駐車券発行機構２５は、前記発券ボタン２８のオン操作に応動して、紙等の媒体に入庫日時等が磁気記録及び印字記録された駐車券を発行するものである。ゲート開閉機構２６は、駐車場への入庫を規制するゲートの開閉を制御する。
【００１６】
制御部２７は、図４の流れ図に示す手順で各部を制御する。すなわち制御部２７は、先ず、発券ボタン２８がオン操作されるか、カード状記憶媒体のカードデータがカードリーダ・ライタ２２によって読取られるのを待機する。そして、発券ボタン２８がオン操作されたことを検知した場合には（ＳＴ１のＹＥＳ）、既存の入庫処理を実行する。
【００１７】
すなわち制御部２７は、時計部２１にて計時されている現在日時を読み出す。次いで、駐車券発行機構２５を制御して、上記現在日時が入庫日時として記録された駐車券を発行する。その後、駐車券が抜き取られたならば、ゲート開閉機構２６を制御して、ゲートを開放する。そして、車両の通過を検知したならば、上記ゲートを閉じる。
【００１８】
一方、カード状記憶媒体のカードデータが読取られたことを検知した場合には（ＳＴ２のＹＥＳ）、制御部２７は、そのカードデータが駐車券機能付ポイントカード７のデータであるか否かを判別する。ここで、ポイントカード７以外のデータの場合には（ＳＴ３のＮＯ）、他の処理を実行する。
【００１９】
カードリーダ・ライタ２２によって読取られたカードデータが、入庫日時エリア１４や累計ポイントエリア１２等が形成された駐車券機能付ポイントカード７のデータであった場合には（ＳＴ３のＹＥＳ）、制御部２７は、当該カードデータ中の入庫フラグエリア１５に記憶されている入庫フラグをチェックする。ここで、入庫フラグが“１”にセットされていた場合には（ＳＴ４のＮＯ）、既に駐車場に入庫している車両の利用者が所有する駐車券機能付ポイントカード７のデータが読取られたので、エラーとする。
【００２０】
これに対し、入庫フラグが“０”にリセットされていた場合には（ＳＴ４のＹＥＳ）、制御部２７は、時計部２１にて計時されている現在日時を入庫日時として取得する（ＳＴ５：入庫日時取得手段）。そして、前記カードリーダ・ライタ２２を制御して、取得した入庫日時のデータを前記駐車券機能付ポイントカード７の入庫日時エリア１４に書き込む（ＳＴ６：入庫日時記録手段）。また、同時に、同ポイントカード７の入庫フラグエリア１５に記憶されている入庫フラグを“１”にセットする（ＳＴ７）。
【００２１】
その後、制御部２７は、ゲート開閉機構２６を制御して、ゲートを開放する（ＳＴ８）。そして、車両の通過を検知したならば（ＳＴ９のＹＥＳ）、上記ゲートを閉じる（ＳＴ１０）。
【００２２】
図５はＰＯＳ端末４の要部構成を示すブロック図である。図示するように、ＰＯＳ端末４は、記憶部３１、時計部３２、通信インターフェイス３３、キーボード３４、表示部３５、プリンタ３６及びカードリーダ・ライタ３７及びこれらを制御する制御部３８等によって構成されている。
【００２３】
通信インターフェイス３３には、ネットワーク６を介してストアサーバ５が接続されている。カードリーダ・ライタ３７は、前記ポイントカード７を含むカード状記録媒体に対してデータの書込み及び読出しを行うもので、本発明の決済側リーダ・ライタとして機能する。
【００２４】
キーボード３４には、客が購入する商品の販売データを入力するためのキーとして置数キー，ＰＬＵキー，部門キー，乗算キー，値引キー等が配設されている。また、客が購入する商品の登録締めを宣言する締めキー３９が配設されている。しかして制御部２７は、上記締めキー３９が操作入力されたことを検知すると、図４の流れ図に示す手順で各部を制御するものとなっている。
【００２５】
制御部３８は、先ず、商取引の締めが成立するか否かを判断する（ＳＴ１１）。ここで、例えば客が買上げる商品の販売データが登録処理されておらず、締めが不成立の場合には（ＳＴ１１のＮＯ）、エラーとする。
【００２６】
締めが成立すると判断した場合には（ＳＴ１１のＹＥＳ）、制御部３８は、カードリーダ・ライタ３７によって駐車券機能付ポイントカード７若しくは駐車券機能を含まない既存のポイントカードのデータが読取られているか否かを判断する（ＳＴ１２）。
【００２７】
ここで、ポイントカードのデータが読取られている場合には（ＳＴ１２のＹＥＳ）、制御部３８は、締めが成立した商取引において客が買上げた全商品の買上金額から今回ポイントを算出する。例えば買上金額１００円当たり１ポイントとし、小数点以下を切り捨てることによって、今回ポイントを算出する（ＳＴ１３：サービス値算出手段）。次いで、ポイントカードに記録されている累計ポイント、つまり駐車券機能付ポイントカード７の場合は累計ポイントエリア１２に記憶されている累計ポイントを読出し、この累計ポイントに今回ポイントを加算する。そして、上記ポイントカードに記録されている累計ポイントのデータを、加算後のポイントデータに書き換える。つまり、駐車券機能付ポイントカード７の場合は累計ポイントエリア１２に加算後の累計ポイントデータを上書きする（ＳＴ１４：サービス値更新手段）。
【００２８】
次に、制御部３８は、上記ポイントカードの更新フラグ、つまり駐車券機能付ポイントカード７の場合は更新フラグエリア１３に記憶されている更新フラグが“１”にセットされているか否かを判断する（ＳＴ１５）。そして、更新フラグが“１”にセットされていない場合には（ＳＴ１５のＮＯ）、“１”にセットして、サービス値である累計ポイントが書換更新されたことを示す識別情報を記録する（ＳＴ１６）。
【００２９】
ＳＴ１２にて、ポイントカードのデータが読取られていない場合には（ＳＴ１２のＮＯ）、上記ＳＴ１３〜ＳＴ１６の各処理を実行しない。
【００３０】
しかる後、制御部３８は、取引締め処理を実行する（ＳＴ１７）。この取引締め処理では、買上金額に対する代金支払データが処理される。そして、プリンタ３６によりレシートが印字発行される。
【００３１】
図７は出庫側装置２の要部構成を示すブロック図である。図示するように、出庫側装置２は、記憶部４１、時計部４２、表示部４３、音声報知部４４、カードリーダ・ライタ４５、券読取り部４６、金銭処理部４７、信号入力部４８、ゲート開閉機構４９及び領収書プリンタ５０及び各部を制御する制御部５１などで構成されている。
【００３２】
時計部４２は、現在の日付及び時刻を計時する。表示部４３には、駐車料金等が表示される。音声報知部４４からは、駐車場利用者に対しての音声案内メッセージが適宜出力される。カードリーダ・ライタ４５は、前記ポイントカード７を含むカード状記録媒体に対してデータの書込み及び読出しを行うもので、本発明の出庫側リーダ・ライタとして機能する。券読取り部４６は、券挿入口５２から挿入された券に磁気記録された情報を読取るものである。この券読取り部４６により情報が読取り可能な券としては、入庫時刻等が記録された駐車券と、無料サービス時間等が記録された駐車サービス券とがある。
【００３３】
金銭処理部４７は、現金投入口５３から投入された現金を取込み、投入金額を計数するとともに金庫に収容する機能と、制御部５１から指令された釣銭データに基づき、釣銭額相当の現金を前記金庫から揃えて釣銭払出口５４に払い出す機能とを有する。信号入力部４８には、領収書発券ボタン５５がオン操作されたときに生じる発券オン信号が入力される。領収書プリンタ４０は、前記発券ボタン５５のオン操作に応動して、紙等の媒体に駐車料金などが印字された領収書を発行するものである。ゲート開閉機構４９は、駐車場からの出庫を規制するゲートの開閉を制御する。
【００３４】
記憶部４１には、各駐車時間に対して、駐車料金と、当該駐車料金をサービスポイントに換算したときの換算ポイントとが段階的に設定された駐車料金設定テーブル５６が記憶されている。駐車料金設定テーブル５６の一例を図８に示す。この例は、駐車料金１００円を１０ポイントに換算した例である。前述したように、買上金額１００円当たり１ポイントとした場合、１０ポイントは買上金額１０００円に該当する。つまり、図８に示すように、駐車時間１時間に対する換算ポイントを２０ポイントと設定すると、買上金額２０００円に対して１時間の無料サービス時間が提供されることとなる。同様に、駐車時間２時間に対する換算ポイントを３０ポイントと設定すると、買上金額３０００円に対しては２時間の無料サービス時間が提供されることとなる。
【００３５】
制御部５１は、図９の流れ図に示す手順で各部を制御する。すなわち制御部５１は、先ず、駐車券の磁気記録情報が券読取り部４６によって読取られるか、カード状記憶媒体のカードデータがカードリーダ・ライタ４５によって読取られるのを待機する。そして、駐車券の磁気記録情報が読取られたことを検知した場合には（ＳＴ２１のＹＥＳ）、既存の出庫処理を実行する。
【００３６】
すなわち制御部５１は、時計部４２にて計時されている現在日時を出庫日時として読み出す。そして、駐車券から読取った入庫日時と上記出庫日時とから駐車時間を算出する。また、前記駐車料金設定テーブル５６を検索して、当該駐車時間に対応した駐車料金を取得し、表示部４３に表示させる。
【００３７】
次に、現金投入口５３から現金が投入されるか、券挿入口に駐車サービス券が挿入されるのを待機する。駐車サービス券が挿入された場合には、この駐車サービス券に磁気記録されている無料サービス時間を読出し、上記駐車時間から無料サービス時間を減算する。その結果、駐車時間の残り時間が０または負の値になると、駐車料金の精算が完了したので、ゲート開閉機構４９を制御して、ゲートを開放する。そして、車両の通過を検知したならば、上記ゲートを閉じる。なお、この間に領収書発券ボタン５５がオン操作された場合には、領収書プリンタ５０を制御して駐車料金の領収書を印字発行する。
【００３８】
これに対し、駐車時間の残り時間が正の値の場合には、前記駐車料金設定テーブル５６を検索して、当該残り時間に対応した駐車料金を取得し、表示部４３に表示させる。そして再び、現金投入口５３から現金が投入されるか、券挿入口に駐車サービス券が挿入されるのを待機する。２枚目の駐車サービス券が挿入された場合には、上記と同様の処理を繰返し実行する。
【００３９】
現金投入口５３から現金が投入され、金銭処理部４７でその金額が計数されると、制御部５１は、駐車料金から投入金額を減算する。そして、その値が０以下になったならば、駐車料金の精算が完了したので、必要に応じて金銭処理部４７に釣銭の払い出しを指令するとともにゲート開閉機構４９を制御して、ゲートを開放する。そして、車両の通過を検知したならば、上記ゲートを閉じる。このときも領収書発券ボタン５５がオン操作された場合には、領収書プリンタ５０を制御して駐車料金の領収書を印字発行する。
【００４０】
一方、カード状記憶媒体のカードデータが読取られたことを検知した場合には（ＳＴ２２のＹＥＳ）、制御部５１は、そのカードデータが駐車券機能付ポイントカード７のデータであるか否かを判別する。ここで、ポイントカード７以外のデータの場合には（ＳＴ２３のＮＯ）、他の処理を実行する。
【００４１】
カードリーダ・ライタ４５によって読取られたカードデータが、入庫日時エリア１４や累計ポイントエリア１２等が形成された駐車券機能付ポイントカード７のデータであった場合には（ＳＴ２３のＹＥＳ）、制御部５１は、当該カードデータ中の入庫フラグエリア１５に記憶されている入庫フラグをチェックする。ここで、入庫フラグが“０”にリセットされていた場合には（ＳＴ２４のＮＯ）、入庫時に使用されていない駐車券機能付ポイントカード７のデータが読取られたので、エラーとする。
【００４２】
これに対し、入庫フラグが“１”にセットされていた場合には（ＳＴ２４のＹＥＳ）、制御部５１は、当該ポイントカード７の入庫日時エリア１４に記憶されている入庫日時データと、累計ポイントエリア１２に記憶されている累計ポイントデータとを取得する（ＳＴ２５：媒体データ読出し手段）。
【００４３】
次に、制御部５１は、時計部４２にて計時されている現在日時を出庫日時とし、この出庫日時と当該ポイントカード７から取得した入庫日時とから駐車時間を算出する。そして、前記駐車料金設定テーブル５６を検索して、当該駐車時間に対応した駐車料金を取得し、表示部４３に表示させる（ＳＴ２６：駐車料金算出手段）。
【００４４】
次に、制御部５１は、当該ポイントカード７の更新フラグが“１”にセットされているか否かを判断する（ＳＴ２７）。ここで、更新フラグがセットされている場合には（ＳＴ２７のＹＥＳ）、制御部５１は、この更新フラグを“０”にクリアする（ＳＴ２８）。したがって、ＳＴ２７の判断処理にて更新フラグがセットされていた場合には、当該ポイントカード７の累計ポイントがＰＯＳ端末４で書換更新されてから、当該カード７に対する最初の処理であるとみなすことができる。ここに、ＳＴ２７の判断処理は、本発明の媒体判断手段を構成する。
【００４５】
更新フラグを“０”にクリアした後、制御部５１は、前記駐車料金設定テーブル５６を参照して、今回の駐車料金に対する換算ポイントを取得する。そして、ポイントカード７から読取った累計ポイントと上記今回の駐車料金に対する換算ポイントとを比較する。その結果、累計ポイントが換算ポイント以上である場合には、累計ポイントから換算ポイントを減算し、残りの累計ポイントを当該ポイントカード７の累計ポイントエリア１２に上書きすることによって、駐車料金をサービスポイントで精算する。（ＳＴ２９：駐車料金精算手段）。この場合は、駐車料金に対する支払額の不足額が無しと判断し（ＳＴ３０のＮＯ）、ＳＴ３５の処理に進む。
【００４６】
これに対し、累計ポイントが換算ポイント未満の場合には、当該ポイントカード７の累計ポイントエリア１２にデータ“０”を上書きする（ＳＴ２９：駐車料金精算手段）。そして、この場合は、不足額ありと判断し（ＳＴ３０のＹＥＳ）、ＳＴ３１の処理に進む。
【００４７】
ＳＴ３１では、制御部５１は、換算ポイントから累計ポイントを減算し、残りの換算ポイントから不足額を算出する。例えば、前述したように、駐車料金１００円を１０ポイントに換算するものとすると、残りの換算ポイントが５ポイントの場合には、不足額を５０円と算出する。そして、この不足額を表示部４３に表示させる（ＳＴ３１）。
【００４８】
次に、制御部５１は、現金投入口５３から現金が投入されるのを待機する（ＳＴ３２）。そして、現金投入口５３から現金が投入され、金銭処理部４７によりその投入金額が計数されると（ＳＴ３２のＹＥＳ）、制御部５１は、不足額から投入金額を減算して、駐車料金を投入金額で精算する（ＳＴ３３）。
【００４９】
次に、制御部５１は、不足額から投入金額を減算した値が０以下か否かを判断する（ＳＴ３４）。不足額から投入金額を減算した値が正の値の場合には、まだ不足額が存在するので、ＳＴ３１の処理に戻る。
【００５０】
不足額から投入金額を減算した値が０以下の場合には、駐車料金の精算が完了したので、ＳＴ３５の処理に進む。なお、不足額から投入金額を減算した値が負の値であった場合には、その負の値に相当する金額を釣銭額として払い出すことを金銭処理部４７に指令する。
【００５１】
ＳＴ２７にて更新フラグが“０”にリセットされていた場合には、当該ポイントカード７の累計ポイントが書換更新されてから、当該カード７に対する最初の処理ではないので、累計ポイントによる駐車料金の精算を行わない。この場合は、制御部５１は、ＳＴ３２の処理に進み、現金投入口５３から現金が投入されるのを待機する。そして、現金投入口５３から現金が投入され、金銭処理部４７によりその投入金額が計数されると（ＳＴ３２のＹＥＳ）、制御部５１は、駐車料金から投入金額を減算して、駐車料金を投入金額で精算する（ＳＴ３３）。
【００５２】
次に、制御部５１は、駐車料金から投入金額を減算した値が０以下か否かを判断する（ＳＴ３４）。駐車料金から投入金額を減算した値が正の値の場合には、不足額が存在するので、ＳＴ３１の処理に進む。
【００５３】
駐車料金から投入金額を減算した値が０以下の場合には、駐車料金の精算が完了したので、ＳＴ３５の処理に進む。なお、駐車料金から投入金額を減算した値が負の値であった場合には、その負の値に相当する金額を釣銭額として払い出すことを金銭処理部４７に指令する。
【００５４】
ＳＴ３５では、当該ポイントカード７の駐車場使用履歴テーブル１６に、今回の入庫日時，出庫日時及び駐車時間の各データを書き込む。駐車料金を累計ポイントで精算した場合、その精算で使用したポイントデータを駐車場使用履歴テーブル１６に書き込むようにしてもよい。
【００５５】
しかる後、制御部５１は、当該ポイントカード７の入庫フラグエリア１５に記憶されている入庫フラグを“０”にリセットしたならば（ＳＴ３６）、ゲート開閉機構４９を制御して、ゲートを開放する（ＳＴ３７）。ここで、領収書発券ボタン５５がオン操作された場合には（ＳＴ３８）、領収書プリンタ５０を制御して駐車料金の領収書を印字発行する（ＳＴ３９）。その後、制御部５１は、車両の通過を検知したならば（ＳＴ４０のＹＥＳ）、上記ゲートを閉じる（ＳＴ４１）。
【００５６】
このように構成された本実施の形態の駐車場管理システムが導入された駐車場を、駐車券対応のポイントカード７を所持していない客が利用する場合には、従来どおり駐車券を用いて入庫，出庫を管理する。すなわち客は、入庫時に入庫側装置１の発券ボタン２８を押下して、駐車券の発券を受ける。また、出庫時には出庫側装置２の券挿入口５２に駐車券を挿入する。そして、駐車料金を無料サービス券若しくは現金で精算する。
【００５７】
これに対し、駐車券対応のポイントカード７を所持している客が駐車場を利用する場合には、入庫時に、入庫側装置１のカードリーダ・ライタ２２にポイントカード７のデータを読取らせる。これにより、このポイントカード７の入庫日時エリア１４に入庫日時のデータが記録される。また、入庫フラグが“１”にセットされる。しかる後、入庫口のゲートが開放し、車両の入庫が可能となる。
【００５８】
駐車場へ入庫後、店で買物をし、代金を支払う際には、客はポイントカード７を店員に提示する。そうすると、店員はＰＯＳ端末４のカードリーダ・ライタ３７にポイントカード７のデータを読取らせる。これにより、買上金額に応じて算出された今回ポイントが、当該ポイントカード７の累計ポイントエリア１２に記憶されている前回までの累計ポイントデータに加算されて、累計ポイントが更新される。また、同ポイントカード７の更新フラグエリア１３に、更新フラグがセットされる。
【００５９】
その後、駐車場から出庫する際には、客は出庫側装置２のカードリーダ・ライタ４５にポイントカード７のデータを読取らせる。このとき、当該ポイントカード７の更新フラグエリア１３に更新フラグがセットされているので、サービスポイントによる駐車料金の精算が許可される。
【００６０】
この場合は、駐車料金設定テーブル５６の設定内容に従い駐車料金がポイントに換算される。そして、当該ポイントカード７の累計ポイントエリアに記憶されているサービスポイントの累計値から駐車料金に相当するポイント分が減算されて、駐車料金が精算される。なお、累計ポイントが不足する場合には、不足分を現金等で支払う。
【００６１】
精算が完了すると、当該ポイントカード７の更新フラグエリア１３にセットされた更新フラグがクリアされる。しかる後、出庫口のゲートが開放し、車両の出庫が可能となる。
【００６２】
このように、ポイントカード７の更新フラグエリア１３には、店で買物をして累計ポイントが更新された場合に更新フラグがセットされる。そして、この更新フラグは、当該ポイントカード７の累計ポイントで駐車料金の精算が行われた場合にクリアされる。一方、出庫側装置２においては、カードリーダ・ライタ４５でデータが読取られたポイントカード７の更新フラグがセットされている場合のみ、累計ポイントでの駐車料金の精算が許可される。したがって、店で買物をして累計ポイントが更新された買物客に対してのみ、サービスポイントでの駐車料金の精算が許可される。換言すれば、店で買物をせずに駐車場を利用した客に対しては、サービスポイントでの駐車料金の精算が禁止される。
【００６３】
ところで、サービスポイントは、高額な買物をすると大きなポイントが供与される。例えば今、１００円当たり１ポイントが供与されるものとすると、６０００円の買物をした場合には６０ポイントが供与される。一方、駐車料金設定テーブル５６に図８に示すデータが設定されていたとすると、６０ポイントは４時間分の駐車時間に相当する。つまり、４時間の無料サービス時間が得られたこととなる。この場合において、実際の駐車時間が１時間未満であったとすると、従来は，３時間分の無料サービス時間が無駄となっていた。
【００６４】
これに対して、本実施の形態の駐車場管理システムでは、１時間未満で出庫した場合には、ポイントカード７の累計ポイントが、６０ポイントから１時間分の駐車時間に相当する２０ポイントが減算されて４０ポイントとなる。そして、この４０ポイントは、次回以降の駐車料金に使用することができる。したがって、買上金額等により得られた無料サービス時間に対して実際の駐車時間が短い場合には余った無料サービス時間を次回以降に繰り越すことができるようになる。
【００６５】
しかも、前述したように、店で買物をして累計ポイントが更新された買物客に対してのみ、サービスポイントでの駐車料金の精算が許可される。したがって、買物をせずに駐車場を利用した客の無料サービス時間の使用を防ぐことができるので、店側の要望を充分に満足し得る駐車場管理システムを提供することができる。
【００６６】
なお、この発明は前記実施形態そのままに限定されるものではなく、実施段階ではその要旨を逸脱しない範囲で構成要素を変形して具体化できる。
【００６７】
例えば、前記実施の形態では、可搬式記録媒体（ポイントカード７）に記録されるサービス値を買上金額に応じたポイントデータとしたが、買上金額そのものを累積記憶するようにしてもよい。この場合は、累積金額を無料サービス時間に換算して、駐車時間から無料サービス時間を減算するようにすればよい。
【００６８】
また、前記実施の形態では、可搬式記録媒体（ポイントカード７）に記録されるサービス値（累計ポイント）を更新する機器をＰＯＳ端末４として説明したが、ＰＯＳ端末４に限定されるものではない。例えば、野球場やコンサートホール等のように入場券を事前に購入して入場するような施設に付設された駐車場の場合、施設への入場口に所定の端末を設け、客が入場する際に当該客が所持する可搬式記録媒体の累計ポイントを加算更新するとともに更新フラグをセットするようにする。このようにしても、施設を利用しない客が駐車場を利用した場合に、繰り越された無料サービス時間を利用するのを阻止することができる。
【００６９】
ところで、ポイントサービス対応のＰＯＳシステム３においては、ストアサーバ５の顧客データベースを設けて各顧客の累計ポイントをデータベースで記憶管理し、ポイントカード７では累計ポイントを記憶しないようにしたものもある。このようなＰＯＳシステムに対しても、ネットワーク６を介して少なくとも出庫側装置２をストアサーバ５に接続することによって、本発明の駐車場管理システムを適用することは可能である。
【００７０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００７１】
【図１】本発明の一実施の形態である駐車場管理システムの全体構成を概略的に示す模式図。
【図２】同駐車場管理システムに用いられる駐車券機能付ポイントカードのメモリに形成される主要なメモリ領域を示す模式図。
【図３】同駐車場管理システムにおける入庫側装置の要部構成を示すブロック図。
【図４】同駐車場管理システムにおける入庫側装置の制御部が実行する主要な制御手順を示す流れ図。
【図５】同駐車場管理システムにおけるＰＯＳ端末の要部構成を示すブロック図。
【図６】同駐車場管理システムにおけるＰＯＳ端末の実行する締めキー処理の要部手順を示す流れ図。
【図７】同駐車場管理システムにおける出庫側装置の要部構成を示すブロック図。
【図８】同駐車場管理システムにおける出庫側装置の記憶部に形成される駐車料金設定テーブルの一例を示す模式図。
【図９】同駐車場管理システムにおける出庫側装置の制御部が実行する主要な制御手順を示す流れ図。
【符号の説明】
【００７２】
１…入庫側装置、２…出庫側装置、４…ＰＯＳ端末、７…駐車券機能付ポイントカード、２１，３２，４２…時計部、２２，３７，４５…カードリーダ・ライタ、２７，３８，５１…制御部、５６…駐車料金設定テーブル。
【図１】
2008059341.tif 000003
【図２】
2008059341.tif 000004
【図３】
2008059341.tif 000005
【図４】
2008059341.tif 000006
【図５】
2008059341.tif 000007
【図６】
2008059341.tif 000008
【図７】
2008059341.tif 000009
【図８】
2008059341.tif 000010
【図９】
2008059341.tif 000011